(57)【要約】【課題】本考案は、花などの器として使用された後にキャンドルとして使用可能なキャンドルを提供する。【解決手段】花などの器として使用された後、生花等の該器内の物が取り除かれた、第１のワックスからなる有底円筒状の器型キャンドル１１と、これに敷き詰められ、第１のワックスよりも融点の低い円形ペレット状の第２のワックス１２と、ロウ引きされたロウ芯１３と、を備える。【選択図】図１
0003198793.tif 000002
【実用新案登録請求の範囲】
【請求項１】
花などの器として使用された後、生花等の該器内の物が取り除かれた、第１のワックスからなる器型のキャンドルと、
前記器型のキャンドルの中に入れられた第２のワックスと、
前記器型のキャンドルの中に差し込まれ、前記第２のワックスで保持された芯と、
を備えることを特徴とする、
キャンドル。
【請求項２】
前記第１のワックスの融点が、前記第２のワックスの融点よりも高い、
請求項１に記載のキャンドル。
【請求項３】
前記第１のワックスが、パラフィンワックスであり、
前記第２のワックスが、パームワックス又は大豆ワックスである、
請求項１又は請求項２に記載のキャンドル。
【請求項４】
前記第２のワックスが、所定の固形形状であり、
前記器型のキャンドルの中に、前記第２のワックスが複数敷き詰められた、
請求項１乃至請求項３のいずれか１項に記載のキャンドル。
【請求項５】
前記第２のワックスが、パウダー状のワックスであり、
前記器型のキャンドルの中に、前記第２のワックスが敷き詰められた、
請求項１乃至請求項３のいずれか１項に記載のキャンドル。
【請求項６】
前記第２のワックスは、第１部材と第２部材とが混ぜ合わされてなり、
前記第１部材は、パラフィンワックス又はステアリン酸を含むワックスが溶かされ、色付けされ、冷まされ、砕かれ、ふるいにかけられた細かい部材であり、
前記第２部材は、前記ふるいに残る、前記第１部材より大きい第２部材であり、
前記器型のキャンドルの中に、前記第２のワックスが敷き詰められた、
請求項１乃至請求項３のいずれか１項に記載のキャンドル。
【請求項７】
前記第２のワックスは、更に第３部材が混ぜ合わされてなり、
前記第３部材は、大豆を主原料とするワックスが溶かされ、色付けされ、冷まされ、捏ねられた粘土状の部材である、
請求項６に記載のキャンドル。
【請求項８】
花型のキャンドルを更に備え、
前記花型のキャンドルは、前記器型のキャンドルの中に敷き詰められた前記第２のワックスの上に配されている、
請求項７に記載のキャンドル。
【請求項９】
前記芯は、ロウ引きされた芯である、
請求項４乃至請求項８のいずれか１項に記載のキャンドル。
【請求項１０】
前記第２のワックスは、流体状にして前記器型のキャンドルの中に入れられた後、該器型のキャンドルの中で固体化した、
請求項１乃至請求項３のいずれか１項に記載のキャンドル。
【考案の詳細な説明】
【技術分野】
【０００１】
本考案は、キャンドルに関する。
【背景技術】
【０００２】
従来のキャンドルは、糸芯を配置した型に溶かしたロウを流し込むことによって作製されているものが一般的である（例えば、特許文献１参照）。また、ガラスや陶器などの容器にロウを流し込んで、容器と一体となったキャンドルもある。
【０００３】
一方、花などに使用される器は、花が枯れた場合など、花を取り除いた器単体で飾るわけにもいかないため保管しておく必要がある。
【先行技術文献】
【特許文献】
【０００４】
【特許文献１】特開平０９−２２７８９４号公報（第２頁、第１図）
【考案の概要】
【考案が解決しようとする課題】
【０００５】
しかし、従来のキャンドルは、溶かした蝋を型に流し込むだけで手軽に作製できる反面、比較的単純で画一的な形状のものになる傾向がある。また、ガラスや陶器などの容器と一体となったキャンドルは、火を灯して使用した後に容器として使用する場合、こびりついた蝋を綺麗に取り除く必要があり手間がかかる。また、火を灯して使用した後に、再度蝋を流し入れてキャンドルとする場合、残った蝋にすす等が混じっているので、綺麗なキャンドルとして再生することが困難である。また、花などに使用された後の器は、保管しておかなければならず邪魔である。
【０００６】
本考案は、上記課題に鑑みなされたもので、花などの器として使用された後にもキャンドルとして使用でき、かつ、審美性を有するキャンドルを提供することを目的としている。
【課題を解決するための手段】
【０００７】
本考案に係る一の態様のキャンドルは、花などの器として使用された後、生花等の該器内の物が取り除かれた、第１のワックスからなる器型のキャンドルと、前記器型のキャンドルの中に入れられた第２のワックスと、前記器型のキャンドルの中に差し込まれ、前記第２のワックスで保持された芯と、を備えることを特徴とする。
【０００８】
この構成によれば、花などの器として使用された後も、キャンドルとして使用できる。また、容器と異なり、キャンドル単体で部屋などに飾ることができる。また、器自体がキャンドルであるため、火を灯して使用した後は、普通に廃棄することもできる。ここで、花などの器として使用される器型のキャンドルには、生花やプリザーブドフラワーのほか、花以外の物を入れるものも含まれる。
【０００９】
好ましくは、このキャンドルは、前記第１のワックスの融点が、前記第２のワックスの融点よりも高い。この構成によれば、例えば器型のキャンドルに、第２のワックスを溶かして入れる場合にも、器型のキャンドルが溶けづらい。また、火を灯してキャンドルとして使用した場合も、器型のキャンドル部分が残るので、再度第２のワックスを入れればキャンドルとして再生できる。この場合に、第２のワックスを固形状のものを敷き詰めれば、見た目も綺麗に再生できる。
【００１０】
なお、ワックスには、例えばパラフィンワックス、ステアリン酸ワックス、マイクロワックス、バイセン、バルバックス、パームワックス、ライスワックス、菜種ワックス、大豆ワックス、木蝋、蜜蝋、ジェルワックスなど種々のものがある。これら種々のワックスはそれぞれ融点、硬度、粘度、光沢などの特徴があり、第１のワックス及び第２のワックスに最適なものを選択することが望ましい。
【００１１】
また、このキャンドルは、前記第１のワックスが、パラフィンワックスであり、前記第２のワックスが、パームワックス又は大豆ワックスとしてもよい。また、第１のワックスには、ステアリン酸を添加したパラフィンワックスや、大豆ワックス（ハード）などを用いてもよい。また、第２のワックスには、大豆ワックス（ソフト）やパラフィンワックス、蜜蝋などを用いてもよい。
【００１２】
また、このキャンドルは、前記第２のワックスが、所定の固形形状であり、前記器型のキャンドルの中に、前記第２のワックスが複数敷き詰められている。この構成によれば、器型のキャンドル内に、第２のワックスが複雑に敷き詰められた状態となり、独特の美観をもつ審美性を有するキャンドルとなる。ここで、所定の固形形状とは、例えば円形、角形などのチップ型の単純な形状のほか、石様のいびつな抽象的な形状や、いちごなどの何かを模した具象的な形状などとしてもよい。
【００１３】
また、このキャンドルは、前記第２のワックスが、パウダー状のワックスであり、前記器型のキャンドルの中に、前記第２のワックスが敷き詰められてもよい。この構成によれば、器型のキャンドルに第２のワックスをきっちりと敷き詰めることができる。
【００１４】
また、このキャンドルは、前記第２のワックスが、第１部材と第２部材とが混ぜ合わされてなり、前記第１部材は、パラフィンワックス又はステアリン酸を含むワックスが溶かされ、色付けされ、冷まされ、砕かれ、ふるいにかけられた細かい部材であり、前記第２部材は、前記ふるいに残る、前記第１部材より大きい第２部材であり、前記器型のキャンドルの中に、前記第２のワックスが敷き詰められてもよい。
【００１５】
ここで、第１部材には、砂を模した部材と、小さい小石や土塊を模した部材が含まれる。また、第２部材には、第１部材よりも大きい小石や土塊を模した部材が含まれる。このような、第１部材と第２部材とを分離し、その後これらを混ぜ合わせることにより、実際の土を模したキャンドルとなる。
【００１６】
好ましくは、前記態様において、前記第２のワックスは、更に第３部材が混ぜ合わされてなり、前記第３部材は、大豆を主原料とするワックスが溶かされ、色付けされ、冷まされ、捏ねられた粘土状の部材である。ここで、第３部材には、実際の土に含まれるような粘土様の部材が含まれる。そして、砂や小石等を模した第１部材と、これよりも大きい第２部材と、粘度様の第３部材とを混ぜ合わせることで、実際の土のような複雑でリアルなキャンドルとなる。また、粘土様の第３部材を含むことで、土のキャンドルをグラス等に入れた際に、土のキャンドルが安定する。
【００１７】
また、前記態様において、花型のキャンドルを更に備え、前記花型のキャンドルが前記器型のキャンドルの中に敷き詰められた前記第２のワックスの上に配されてもよい。この構成によれば、鉢植えの花のようなキャンドルとなる。
【００１８】
好ましくは、このキャンドルは、前記芯が、ロウ引きされた芯である。第２のワックスが固定形状やパウダー状の場合に好適である。
【００１９】
また、このキャンドルは、前記第２のワックスが、流体状にして前記器型のキャンドルの中に入れられた後、該器型のキャンドルの中で固体化したものでもよい。この構成によれば、器型のキャンドルに第２のワックスをきっちりと敷き詰めることができる。また、第２のワックスを流体状で流し入れる場合は、芯に流体状のワックスが染みこむので、ロウ引きされた芯を用いなくともよい。
【考案の効果】
【００２０】
本考案のキャンドルによれば、花などの器として使用された後にもキャンドルとして使用でき、かつ、審美性を有するキャンドルを提供することができる。
【図面の簡単な説明】
【００２１】
【図１】一実施形態に係るキャンドルを示す図である。
【図２】キャンドルの変形例を示す図である。
【図３】一実施形態に係るキャンドルの製造工程を示す図である。
【図４】キャンドルの変形例の製造工程を示す図である。
【図５】キャンドルの変形例の製造工程を示す図である。
【図６Ａ】キャンドルの変形例の製造工程を示す図である。
【図６Ｂ】変形例のキャンドルに用いる土様のキャンドルの製造フローである。
【考案を実施するための形態】
【００２２】
以下、本考案に係る実施形態を図面に基づき説明するが、本考案は下記実施形態に限定されるものではない。
【００２３】
＜キャンドル＞
図１は本考案の一実施形態に係るキャンドルを示す斜視図である。図１に示すように、キャンドル１は、第１のワックスからなる器型キャンドル１１と、これに敷き詰められた第２のワックス１２と、ロウ引きされたロウ芯１３と、を備える。
【００２４】
器型キャンドル１１は、上方が開口した有底円筒形である。器型キャンドル１１は、一例として第１のワックスにパラフィンワックスを用いている。このパラフィンワックスは、一例として融点が約６９度であり、硬度があって光沢があり、器型のキャンドルに適している。また、保香性がよいので、香料を加えて芳香のある器型キャンドルとしてもよい。
【００２５】
第２のワックス１２は、円形のペレット状であり、器型キャンドル１１内に複数敷き詰められている。第２のワックス１２は、一例としてパームワックスである。このパームワックスは、一例として融点が約５７度であり、炭素をほとんど含まないためススが出にくく、独特のクリスタル模様を呈する。なお、ひび割れや収縮を防止するよう、必要に応じてパラフィンワックスに添加して使用することもできる。
【００２６】
なお、第２のワックス１２にパームワックスを用いるのは本実施形態の一例であり、例えば大豆ワックスなどを用いてもよい。大豆ワックスは、融点が約５２度であり、大豆を原料として精製した植物性ワックスである。大豆ワックスも炭素をほとんど含まないためススが出にくく、クリーミーな質感を有する。
【００２７】
ロウ芯１３は、一例として木綿の糸を白く漂白加工して編み込んだ糸芯にロウが染みこんだものである。ロウ引きは、例えば溶かしたパラフィンワックスに糸芯を浸漬してしばらく置いた後、引き上げて行う。なお、芯にはその他のキャンドル専用の芯を用いてもよい。ロウ引きすることにより、芯が綺麗に燃えるほか、芯を直立させることができるのでキャンドルの仕上がりを綺麗にできる。
【００２８】
（変形例）
次にキャンドル１の変形例について説明する。器型キャンドル１１の形状は、本実施形態の有底円筒状以外の形状としてもよい。また、第２のワックス１２は、本実施形態の円形ペレット状以外の形状としてもよい。
【００２９】
変形例を図２に示す。図２（ａ）のキャンドル２は、第２のワックスを加温し流体状にして器型キャンドルの中に入れた後、冷却し固体化したものである。図２（ｂ）のキャンドル３は、第２のワックスにパウダー状のものを用いたもので、これが器型キャンドルに敷き詰められている。図２（ｃ）のキャンドル４は、器型キャンドルが高さの低い有底円筒状であり、これにいちごを模した形状の第２のワックスが複数敷き詰められたものである。そして、器型キャンドルといちご型の第２のワックスとの間に、複数のロウソクが配されている。これにより、全体としてホールケーキのようなキャンドルとなる。なお、有底円筒状にかえてショートケーキ様の有底角筒状としてもよい。
【００３０】
＜キャンドルの製造工程＞
続き、キャンドルの製造工程について図３を参照しつつ説明する。図３は、本考案の一実施形態に係るキャンドルの製造工程を示す図である。
【００３１】
（１）図３に示すように、まず花器として使用していた器型キャンドル１１から、花１００と剣山１０１を取り除く。このとき、花のゴミなどがある場合はこれも取り除く。また、水が入っている場合は水を捨て、器型キャンドル１１内を拭いて水気をとる。なお、このとき器型キャンドル１１を乾かすことが望ましい。また、本実施形態の器型キャンドル１１はパラフィンワックスからなるので、花器として使用する場合にも水が漏れない。
【００３２】
（２）そして、別途あらかじめ用意しておいた、複数の円形ペレット状の第２のワックス１２を器型キャンドル１１内に敷き詰める。
【００３３】
（３）最後に、第２のワックス１２が敷き詰められた器型キャンドル１１の略中央に、ロウ引きされたロウ芯１３を差し込む。このとき、ロウ芯１３の下端が器型キャンドル１１の底につく程度まで差し込み、ロウ芯１３の上部が敷き詰められた第２のワックス１２から少し突出させる。以上により、キャンドル１が完成する。
【００３４】
なお、（３）の工程は、（２）の工程に先んじて又は同時に行ってもよい。具体的には、中が空の状態の器型キャンドル１１に、ロウ芯１３を手に持ちながら差し込んだ状態とし、その状態のまま第２のワックス１２を器型キャンドル１１に敷き詰めていってもよい。
【００３５】
（変形例１）
次に上記したキャンドルの変形例の製造工程について説明する。図４は、前記のキャンドル２（図２（ａ）参照）の製造工程である。
【００３６】
（１）図４に示すように、まず花器として使用していた器型キャンドル２１から、花１００と剣山１０１を取り除く。このとき、花のゴミなどがある場合はこれも取り除く。また、水が入っている場合は水を捨て、器型キャンドル２１内を拭いて水気をとる。なお、このとき器型キャンドル２１を乾かすことが望ましい。
【００３７】
（２）一方、別途用意したペレット状の第２のワックス２２を、鍋に入れて加温して液状にした後、温度を調節して第２のワックス２２を５７度以上６９度未満の状態にしておく。
【００３８】
（３）次に、中が空の状態の器型キャンドル２１に、ロウ芯２３を手に持ちながら差し込んだ状態とし、５７度以上６９度未満の液状の第２のワックス２２を器型キャンドル２１に流し込む。このとき、ロウ芯２３の下端が器型キャンドル２１の底につく程度まで差し込み、ロウ芯２３の上部を液状の第２のワックス２２の上面から少し突出させる。
【００３９】
（４）そして、ロウ芯２３を手に持った状態を保ちながら、第２のワックス２２がある程度固化するまで自然冷却する。手を離してもロウ芯２３が保持される状態まで冷却されたら、ロウ芯２３から手を離し、更に第２のワックス２２が固化するまで冷却する。以上により、キャンドル２が完成する。
【００４０】
（変形例２）
また、上記とは別のキャンドルの製造工程について説明する。図５は、前記のキャンドル３（図２（ｂ）参照）の製造工程である。
【００４１】
（１）図５に示すように、まず花器として使用していた器型キャンドル２１から、花１００と剣山１０１を取り除く。このとき、花のゴミなどがある場合はこれも取り除く。また、水が入っている場合は水を捨て、器型キャンドル３１内を拭いて水気をとる。なお、このとき器型キャンドル３１を乾かすことが望ましい。
【００４２】
（２）そして、別途あらかじめ用意しておいた、パウダー状の第２のワックス３２を器型キャンドル３１内に敷き詰める。
【００４３】
（３）最後に、第２のワックス３２が敷き詰められた器型キャンドル３１の略中央に、ロウ引きされたロウ芯３３を差し込む。このとき、ロウ芯３３の下端が器型キャンドル３１の底につく程度まで差し込み、ロウ芯３３の上部が敷き詰められた第２のワックス３２から少し突出させる。以上により、キャンドル３が完成する。
【００４４】
なお、（３）の工程は、（２）の工程に先んじて又は同時に行ってもよい。具体的には、中が空の状態の器型キャンドル３１に、ロウ芯３３を手に持ちながら差し込んだ状態とし、その状態のまま第２のワックス３２を器型キャンドル３１に敷き詰めていってもよい。
【００４５】
（変形例３）
また、上記とは別のキャンドルの製造工程について説明する。図６Ａは、別の変形例のキャンドルの製造工程である。図６Ｂは、このキャンドルに用いる土様のキャンドルの製造フローを示すフローチャートである。
【００４６】
（１）図６Ａに示すように、まず花器として使用していた器型キャンドル５１から、花１００と剣山１０１を取り除く。このとき、花のゴミなどがある場合はこれも取り除く。また、水が入っている場合は水を捨て、器型キャンドル５１内を拭いて水気をとる。なお、このとき器型キャンドル５１を乾かすことが望ましい。
【００４７】
（２）そして、別途あらかじめ用意しておいた、土様のキャンドル５２を器型キャンドル５１内に敷き詰め、その上に花型のキャンドル５３を配置する。
【００４８】
（３）最後に、ロウ引きされたロウ芯５４を中央に差し込む。このとき、花型のキャンドル５３の中央にあらかじめ貫通孔を設けておいて、貫通孔にロウ芯５４を差し込んでもよいし、または花型のキャンドル５３にロウ芯５４を取り付けてもよい。もしくは、あらかじめロウ芯５４を取り付けた花型のキャンドル５３を、土様のキャンドル５２の上に取り付けてもよい。以上により、キャンドル５が完成する。
【００４９】
次に、上記した土様のキャンドル５２の製造の一例を図６Ｂに基づき説明する。（Ａ）まず材料となるパラフィンワックスをホーロー鍋に入れて加温して、このワックスを溶かす。（Ｂ）そして、溶かしたワックスにステアリン酸添加剤を加えて混ぜ合わせ、更に第１の色粉を加えて着色する。第１の色粉には、一例として濃い茶色の色粉を用いる。（Ｃ）そして、ホーロー鍋から平坦な面においたクッキングシート上にこのワックスを流す。
【００５０】
（Ｄ）そして、ワックスがある程度冷えて固まった後、ビニールグローブ等をはめた手でワックスを砕いて小さくする。（Ｅ）そして、砕いて小さくしたワックスをふるいにかけて、細かい第１部材５２ａとそれよりも大きい第２部材５２ｂとに分別する。
【００５１】
（Ｆ）一方、材料となる大豆ワックスをホーロー鍋に入れ加温して、このワックスを溶かす。（Ｇ）そして、溶かしたワックスに第２の色粉を加えて着色する。第２の色粉には、一例として濃い茶色の色粉を用いる。（Ｈ）そして、ホーロー鍋から、平坦な面においたクッキングシート上にこのワックスを流す。（Ｉ）そして、ワックスがある程度冷えて可塑状体となった後、ワックスをビニールグローブ等をはめた手で捏ねて塊にして、粘土様の第３部材５２ｃを作成する。
【００５２】
（Ｊ）次に、上記で作成した細かい第１部材５２ａと、粘土様の第３部材５２ｃとをクッキングシート上に広げ、第３部材５２ｃをちぎって小さくしながら、第３部材５２ｃと第１部材５２ａとを混ぜ合わせる。（Ｋ）そして、混ぜ合わせた第１部材５２ａと第３部材５２ｃとに、上記工程で作成した第２部材５２ｂを混ぜ合わせて、土様のキャンドル５２となる。
【００５３】
以上の工程により完成する土様のキャンドル５２は、実際の土に含まれる砂状の土、大小の小石や土の塊、粘土状の土をそれぞれ模した部材を備えるので、実際の土のような複雑でリアルな土様のキャンドルとなる。
【００５４】
＜その他の実施形態＞
以上のとおり、図面を参照しながら本考案の実施形態を説明したが、本考案の趣旨を逸脱しない範囲内で、種々の追加、変更または削除が可能である。例えば、本実施形態においては、第１のワックスにパラフィンワックス、第２のワックスにパームワックスを用いているが、例えば第２のワックスにパウダー状のパラフィンワックスを用いるなど、これ以外のワックスを用いることもできる。したがって、そのようなものも本考案の範囲内に含まれる。
【符号の説明】
【００５５】
１  キャンドル
１１  器型キャンドル
１２  第２のワックス
１３  ロウ芯
２  キャンドル
２１  器型キャンドル
２２  第２のワックス
２３  ロウ芯
３  キャンドル
３１  器型キャンドル
３２  第２のワックス
３３  ロウ芯
４  キャンドル
５  キャンドル
５１  器型キャンドル
５２  土様のキャンドル
５２ａ  第１部材
５２ｂ  第２部材
５２ｃ  第３部材
５３  花型のキャンドル
５４  ロウ芯
【図１】
0003198793.tif 000003
【図２】
0003198793.tif 000004
【図３】
0003198793.tif 000005
【図４】
0003198793.tif 000006
【図５】
0003198793.tif 000007
【図６Ａ】
0003198793.tif 000008
【図６Ｂ】
0003198793.tif 000009